(57)【要約】【課題】あらわし梁を使用した床構造において、その遮音性能を効果的に高める。【解決手段】この遮音床構造は、互いに略平行に配設されて下階空間３０に張り出した複数のあらわし梁１・・を、床下地材１１・・や床板１２・・といった床構成部材を支持する例えば木製の角材からなる上部梁２と、鋼製野縁１６・・や天井板１７・・といった天井構成部材を支持する例えば木製の角材からなる下部梁３とに分断して、それら上部梁２と下部梁３との間に防振材４を介在させてなるサンドイッチ構造としている。【選択図】図１
2007191989.tif 000002
【特許請求の範囲】
【請求項１】
互いに略平行に配設されて下階空間（３０）に張り出した複数のあらわし梁（１）・・を、床構成部材（１１）（１２）を支持する上部梁（２）と天井構成部材（１６）（１７）を支持する下部梁（３）とに分断して、それら上部梁（２）と下部梁（３）との間に防振材（４）を介在させるようにしたことを特徴とする建物の遮音床構造。
【請求項２】
隣接する上部梁（２）・・間に、前記床構成部材（１１）（１２）を支持する補助梁（１０）・・を前記上部梁（２）・・と略平行に配置した請求項１記載の建物の遮音床構造。
【請求項３】
前記上部梁（２）と補助梁（１０）の中心軸間の間隔（Ｌ）を約２５０ｍｍとした請求項２記載の建物の遮音床構造。
【請求項４】
前記上部梁（２）と補助梁（１０）の梁せいを略同じにした請求項２又は３記載の建物の遮音床構造。
【請求項５】
前記上部梁（２）・・と補助梁（１０）・・の上面間に跨って床下地材（１１）・・を取り付けるとともに、前記下部梁（３）・・の側面間に跨って天井板（１７）を取り付けた請求項２乃至４のいずれかに記載の建物の遮音床構造。
【請求項６】
前記上部梁（２）・・、下部梁（３）・・及び補助梁（１０）・・は、木製の角材からなる請求項２乃至５のいずれかに記載の建物の遮音床構造。
【発明の詳細な説明】
【技術分野】
【０００１】
この発明は、戸建て住宅等の建物における遮音床構造に関する。
【背景技術】
【０００２】
従来より、戸建て住宅において、上階の床梁下部をリビング等の下階空間に張り出させて露出させるとともに、この上階の床梁に天井板を直付けして下階空間の天井面を上げることで、下階空間に広がりを持たせるとともに、下階空間のインテリア性を高めるようにした床構造が知られている。
【０００３】
ところが、このような床構造においては、上階の床梁いわゆるあらわし梁が下階空間に露出しているので、上階の床板において床衝撃音が発生した場合、その床衝撃音は、あらわし梁を介して天井板から下階空間へ放射されるだけでなく、あらわし梁から下階空間へ直接放射されることになる。
【０００４】
従って、上階の床梁に対して天井板を吊り下げ支持して、下階空間から上階の床梁が見えない通常の床構造と比べて、床板と天井板との間の振動伝搬経路を絶縁することが困難で、遮音性能が低下することが確認されている。
【０００５】
一般に、床の遮音性能を向上させるために、床板や天井板の重量を重くするといった対策が採られている。しかしながら、床板や天井板の重量を大きくする場合には、床板や天井板を支えるための構造体の設計変更が必要とされ、特に木造住宅や軽量鉄骨造住宅においては、構造耐力の観点から床板や天井板の重量をむやみに増やすことができない。
【０００６】
また、床上に二重床を設けて遮音性能を向上するといった方法もあるが、この場合、床レベルが上昇して室内空間を狭めてしまうことになり、一般的な戸建て住宅に適用することは困難である。
【０００７】
そこで、床板と床梁との間に防振材を介在させて、床板の振動を防振材によって減衰させるようにした構造が提案されている(例えば、特許文献１参照)。
【０００８】
【特許文献１】特開２００５−１５５２８８号公報
【発明の開示】
【発明が解決しようとする課題】
【０００９】
しかしながら、上記のように、床板と床梁との間に防振材を介在させる場合には、床板の沈み込みが生じ易くなり、これに伴って歩行感の悪化や音鳴りの発生を招くおそれがあった。
【００１０】
そこで、この発明は、上記のような不具合を生じさせることなく、あらわし梁を使用した床構造において、その遮音性能を効果的に高めることを目的とする。
【課題を解決するための手段】
【００１１】
上記課題を解決するため、この発明の建物の遮音床構造は、互いに略平行に配設されて下階空間３０に張り出した複数のあらわし梁１・・を、床構成部材１１、１２を支持する例えば木製の角材からなる上部梁２と、天井構成部材１６、１７を支持する例えば木製の角材からなる下部梁３とに分断して、それら上部梁２と下部梁３との間に防振材４を介在させるようにしたことを特徴とする。
【００１２】
また、隣接する上部梁２・・間に、前記床構成部材１１、１２を支持する例えば木製の角材からなる補助梁１０・・を前記上部梁２・・と略平行に配置している。さらに、前記上部梁２と補助梁１０の中心軸間の間隔Ｌを約２５０ｍｍとしている。さらにまた、前記上部梁２と補助梁１０の梁せいを略同じにしている。
【００１３】
また、前記上部梁２・・と補助梁１０・・の上面間に跨って床下地材１１・・を取り付けるとともに、前記下部梁３・・の側面間に跨って天井板１７を取り付けている。
【発明の効果】
【００１４】
この発明の遮音床構造においては、互いに縁切りした上部梁と下部梁との間に防振材を介在してなるサンドイッチ構造のあらわし梁を用いていることから、床構成部材側から天井構成部材側へ伝搬する振動を防振材によって減衰して、下階空間へ放射される騒音を大幅に低減することができ、従来のような構造体の設計変更や床レベルの上昇、歩行感の悪化や音鳴りの発生等を招くことなく、遮音性能を効果的に高めることができる。
【００１５】
また、隣接する上部梁間に補助梁を配置して、あらわし梁を分断したことによる断面性能の低下を補っているので、必要構造耐力を良好に維持することができる。
【００１６】
さらに、上部梁と補助梁の中心軸間の間隔を約２５０ｍｍとすることで、床下地材や床板といった床構成部材を良好に支持することができ、床下地材を支持するための根太等を廃止することができる。
【発明を実施するための最良の形態】
【００１７】
以下、この発明の実施形態を図面に基づいて詳細に説明する。図１乃至図３は、この発明の一実施形態に係る遮音床構造を示している。図において、１・・は、例えば木造住宅における上階の床に施工するあらわし梁を示している。各あらわし梁１は、上部梁２と下部梁３とに分断されており、これら上部梁２と下部梁３との間に防振材４が介在されたサンドイッチ構造となっている。
【００１８】
前記上部梁２は、例えば木製の角材からなり、その幅が約１２０ｍｍ、高さが約１５０ｍｍとされている。下部梁３は、例えば木製の角材からなり、その幅が約１２０ｍｍ、高さが約１７０ｍｍとされている。防振材４は、帯板状の防振ゴムからなり、その幅が約１２０ｍｍ、厚さが約１０ｍｍとされている。
【００１９】
そして、上部梁２及び下部梁３は、その両端部が図示しない柱や外周梁等に別々に連結されて互いに縁切りされた状態となっており、これら上部梁２の下面と下部梁３の上面との間に、防振材４が接着剤等によって取り付けられている。なお、防振材４は、接着剤等によって取り付けることなく、上部梁２と下部梁３との間に単に挟み込ませるようにしても良い。また、必ずしも上部梁２や下部梁３の長手方向の全長に亘って設ける必要はなく、例えば複数の防振材４・・を上部梁２と下部梁３との間にそれらの長手方向に間隔をあけて設けるようにしても良い。
【００２０】
このようにして構成されたあらわし梁１・・は、その幅が約１２０ｍｍ、高さが約３３０ｍｍとされていおり、それらの中心軸間の間隔が約５００ｍｍとなるように互いに略平行に配置されている。
【００２１】
１０・・は、隣接するあらわし梁１、１の上部梁２、２間に、夫々配置された補助梁を示している。この補助梁１０は、上部梁２と略同じ大きさの例えば木製の角材からなり、その幅が約１２０ｍｍ、高さすなわち梁せいが約１５０ｍｍとされて、その両端部が図示しない柱や外周梁等に連結されている。そして、互いに隣接する補助梁１０と上部梁２の中心軸間の間隔Ｌが約２５０ｍｍとなり、且つ、補助梁１０・・と上部梁２・・の上面が同一高さレベルに位置するようにして、補助梁１０・・が上部梁２・・と略平行に配置されている。
【００２２】
このように補助梁１０・・を配置して梁本数を増やすことで、あらわし梁１・・の分断に伴う断面性能の低下を補って必要構造耐力を確保している。なお、あらわし梁１・・における下部梁３・・は、鉛直方向の力が加わった初期の段階では力を負担することはないが、上部梁２・・が撓んで下部梁３・・に干渉することによって力を負担して、梁強度を倍増させるようになっている。
【００２３】
そして、このようにして配置されたあらわし梁１・・の上部梁２・・及び補助梁１０・・に対して、床構成部材が支持されている。すなわち、あらわし梁１・・の上部梁２・・及び補助梁１０・・の上面に跨って、例えば略方形状の構造用合板からなる床下地材１１・・が取り付けられ、それら床下地材１１・・上にはフローリング材等の床板１２・・が敷設されている。なお、床下地材１１・・は、約２５０ｍｍピッチの狭い間隔で配置した上部梁２・・及び補助梁１０・・によって支持されるので、床下地材１１・・を支持するために通常設ける根太については廃止している。
【００２４】
また、あらわし梁１・・の下部梁３・・に対して、天井構成部材が支持されている。すなわち、あらわし梁１・・の下部梁３・・の側面間に、コ字形の保持枠１５、１５を介して複数の鋼製野縁１６・・が差し渡され、それら鋼製野縁１６・・の下面に例えば略方形状の石膏ボード等からなる天井板１７・・が取り付けられている。そして、床下地材１１・・と天井板１７・・との間には、断熱材２０が充填されている。
【００２５】
この施工状態において、天井板１７・・は、隣接するあらわし梁１・・の下部梁３・・の側面間に差し渡されているので、あらわし梁１・・の下部梁３・・は、天井板１７・・よりも下方へ突出して、下階空間３０に張り出している。
【００２６】
上記構成において、床板１２・・に対して衝撃力が加わると、その衝撃力によって床板１２・・が振動し、その振動が床下地材１１・・を介してあらわし梁１・・及び補助梁１０・・へ伝搬する。
【００２７】
このとき、あらわし梁１においては、互いに縁切りした上部梁２と下部梁３との間に防振材４を挟み込んだサンドイッチ構造となっているので、上部梁２から下部梁３へ伝搬する振動が防振材４によって減衰される。従って、あらわし梁１・・の下部梁３・・や天井板１７・・から下階空間３０へ放射される床衝撃音を大幅に低減することができる。
【００２８】
また、補助梁１０・・は、天井板１７・・に覆われていて、しかも鋼製野縁１６・・や天井板１７・・といった天井構成部材とは縁切りされた状態となっているので、補助梁１０・・から放射される床衝撃音が下階空間３０において問題になることは少ない。これにより、あらわし梁１・・を使用した床構造でありながら、遮音性能を効果的に高めることができる。
【００２９】
なお、あらわし梁１・・に天井吊り用の梁を別途設けて、この天井吊り用の梁に対して天井構成部材をあらわし梁１・・とは縁切りした状態で取り付ける構造も検討したが、この場合、あらわし梁１・・から下階空間へ直接放射される床衝撃音を低減することはできず、上記のようなサンドイッチ構造のあらわし梁１・・を用いるときのような遮音性能の向上を図ることはできなかった。
【００３０】
この発明は、上記実施形態に限定されるものではなく、この発明の範囲内で上記実施形態に多くの修正及び変更を加え得ることは勿論である。例えば、あらわし梁１における上部梁２及び下部梁３、補助梁１０の大きさや配置間隔は、上記実施形態に限定されるものではなく状況に応じて適宜変更しても良い。
【図面の簡単な説明】
【００３１】
【図１】この発明の一実施形態に係る遮音床構造の縦断面図である。
【図２】同じくその部分拡大図である。
【図３】遮音床構造の破断斜視図である。
【符号の説明】
【００３２】
１・・あらわし梁、２・・上部梁、３・・下部梁、４・・防振材、１０・・補助梁、１１・・床下地材、１２・・床板、１６・・鋼製野縁、１７・・天井板、３０・・下階空間
【図１】
2007191989.tif 000003
【図２】
2007191989.tif 000004
【図３】
2007191989.tif 000005